(57)【特許請求の範囲】
【請求項１】
外側連結板が延在した第１のベースと、
内側連結板が延在した第２のベースと、
を備え、
前記外側連結板は前記内側連結板にヒンジ連結され、
ロック部材と、
前記ロック部材のロック孔に挿入されるＬ字型のロックピンと、
を更に備え、
前記ロック部材は前記ロックピンによって前記外側連結板に連結され、
前記ロック部材にはロック部材ラチェットが設けられ、前記内側連結板には連結板ラチェットが設けられ、前記ロック部材ラチェットと前記連結板ラチェットとは噛みあうように構成され、
前記ロックピンには、一端が前記外側連結板に当接し、他端が前記ロック部材に係合するばねが設けられていることを特徴とする、位置制限機能付き折り畳み器。
【発明の詳細な説明】
【技術分野】
【０００１】
本発明は、折り畳み器に関し、特に、折り畳み式のベッドマットレスや折り畳み式の椅子等の家庭用品における位置制限機能付き折り畳み器に関する。
【背景技術】
【０００２】
ベッドマットレスや折り畳み椅子等の家庭用品は運送する際に元の形状のままであると一般に広い空間を占めることになり、運送に大変な手間がかかってしまう。折り畳み方式を採用すると、角度調節器を利用して連結する必要がある。一般に、従来の角度調節器はベッドマットレスや折り畳み椅子やソファー等の継手部分に設けられて、必要な場合に調節することができる。上記の用品を適切な大きさに折り畳んで運送する場合には調節器を複数設ける必要があるが、広げて使用する場合には用品の角度が変わらないように、位置制限機能が調節器に要求される。しかしながら、従来の角度調節器ではこの機能を満たすことができなかった（特許文献１参照）。
【先行技術文献】
【特許文献】
【０００３】
【特許文献１】実用新案登録第３１１５３４７号公報
【発明の概要】
【発明が解決しようとする課題】
【０００４】
本発明は従来技術の欠点の解決を目的として、便利に折り畳むことができ、しかも、使用中に角度が変わらないように位置制限することができる位置制限機能付き折り畳み器を提供する。
【課題を解決するための手段】
【０００５】
前記目的を達成するため、外側連結板が延在した第１のベースと、内側連結板が延在した第２のベースとを備え、前記外側連結板は前記内側連結板にヒンジ連結され、ロック部材と、該ロック部材のロック孔に挿入されるＬ字型のロックピンとを更に備え、前記ロック部材は前記ロックピンによって前記外側連結板に連結され、前記ロック部材にはロック部材ラチェットが設けられ、前記内側連結板には連結板ラチェットが設けられ、前記ロック部材ラチェットと前記連結板ラチェットとは噛みあうように構成され、前記ロックピンには、一端が前記外側連結板に当接し、他端が前記ロック部材に係合するばねが設けられている、位置制限機能付き折り畳み器が提供される。
【０００６】
第１のベース及び第２のベースは通常、パイプ状であり、ベッドマットレスやベッド板や折り畳み椅子等の骨組み部分を連結するのに用いられる。一方、第１及び第２のベースには連結板が延在して連結され、第１のベースの外側連結板が第２のベースの内側連結板の内側にヒンジ連結される。第１のベースと第２のベースとはピボットによって連結され、回転可能なように相対運動する。
【０００７】
ロック部材はラチェットを有した構造であり、第２のベースの内側連結板のラチェットに対応しており、通常の状態ではラチェットが咬み合って、ロックピンのばねによってロックされ、第１のベースと第２のベースとは相対位置が制限されて回転することができなくなっている。第１のベースにはロック孔があり、ロックピンがロック部材のロック孔に挿通されて第１のベースの外側連結板に連結されており、ロックピンを回転させると、ロック部材のラチェットと内側連結板のラチェットとが離脱する。この時、第１のベースと第２のベースとの間には制限がなくなって回転することができるようになる。ロック状態ではばねによりロック部材にロック力が与えられて、ロック部材がラチェットから容易に離脱しないようになっている。
【０００８】
前記ロックピンは角柱状であり、前記ロック孔は角柱状の孔であることが好ましい。
【０００９】
前記ロックピンは断面が正六角形であり、前記ロック部材には正六角形の孔が設けられ、前記ロックピンは前記ロック部材に係合されていることが好ましい。
【００１０】
外側連結板及び内側連結板は単層のものであってもよく、外側連結板及び内側連結板が単層である場合には、ロックピンがロック部材に挿通された後にロック部材を外側連結板に連結するのは、ロックピンに取り付けられる締結ナットである。前記第１のベースには前記外側連結板が平行に２つ設けられ、前記第２のベースには前記内側連結板が平行に２つ設けられており、該内側連結板は前記外側連結板の内部にヒンジ連結されていることが好ましい。
【００１１】
前記外側連結板及び前記内側連結板は円形であり、前記第１のベースは前記外側連結板の上部に位置し、前記第２のベースは前記内側連結板の上部に位置していることが好ましい。内側連結板及び外側連結板は回転することができるが、上部に位置しているので、位置制限があり、第１のベースと第２のベースとの間には位置制限関係が生じて、１８０度を超えて回転することができないようになっている。
【００１２】
前記第１のベースと前記第２のベースとは平行に揃っていることが好ましい。前記上部とは円形の連結板の最上部とベースとの連結部分である。
【００１４】
本発明の位置制限機能付き折り畳み器は、第１のベースと第２のベースとが連結板によってヒンジ連結されて、第１のベースと第２のベースとの間を屈曲させることができるようになっており、さらに、第２のベースの内側連結板をラチェットによって位置制限するロック部材が追加されており、運送の必要がある場合には、ロックピンの回転によってロック部材ラチェットと連結板ラチェットとを離脱させ、第１のベース及び第２のベースが回転することができるように制限を解除して、家庭用品を折り畳み、正常使用時に第１のベース及び第２のベースを元の位置に戻した場合には、ロック部材を内側連結板のラチェットに再度噛み合わせるとともに、ばねの弾力によってロック部材ラチェットを連結板ラチェットにしっかりと係合して、第１のベースと第２のベースとの間に位置制限の機能を生じさせる。
【発明の効果】
【００１５】
本発明は、大型用品の運送に便利なように物品を折り畳むことができ、一方、正常な使用中には折り畳まれてしまわないように良好な位置制限機能を果たすという有益な効果がある。
【図面の簡単な説明】
【００１６】
【図１】本発明の位置制限機能付き折り畳み器の模式図である。
【図２】本発明の位置制限機能付き折り畳み器の断面図である。
【図３】本発明のロックピン、ばね及びロック部材の連結模式図である。
【発明を実施するための形態】
【００１７】
以下、本発明について図面及び具体的な実施形態を参照しながら更に説明する。
【００１８】
図１、図２及び図３により示される位置制限機能付き折り畳み器は、全体的にパイプ状の第１のベース１と第２のベース２とを備えており、パイプ状のベースは主にベッドマットレスや折り畳み椅子等の用品の支柱部分（骨組み部分）に連結するのに用いられる。
【００１９】
第１のベース１にはピボット孔１２が設けられた外側連結板１１が２つ平行に延在し、第２のベース２には内側ピボット孔２２が設けられた平行な内側連結板２１が２つ延在しており、外側連結板１１と内側連結板２１とがピボット６によってヒンジ連結されている。
【００２０】
内側連結板２１は外側連結板１１の内部に配置され、内側連結板２１と外側連結板１１とはいずれも円形板状であり、第１のベース１は外側連結板１１の上部に位置し、第２のベース２は内側連結板２１の上部に位置し、両者は回転運動することができるが、上部において位置制限されている。内側連結板２１には連結板ラチェット２３が設けられている。
【００２１】
位置制限機能付き折り畳み器はロック部材３を更に備えている。ロック部材３にもロック部材ラチェット３１が設けられており、ロック部材３のラチェット３１と内側連結板２１のラチェット２３とが互いに対応して、互いに噛み合うことができる。
【００２２】
外側連結板１１にはピン孔１３が設けられ、ロック部材３にはロック孔が設けられており、Ｌ字型のロックピン４は横断面が六角形であり、ロック部材３のロック孔と互いに嵌合して、ロックピン４が外側連結板１１のピン孔１３及びロック部材３のピン孔に挿通されて互いに連結される。
【００２３】
ロック部材３の側面には段差が設けられ、ロックピン４には、一端が外側連結板１１に当接し、他端がロック部材３の段差に係合するばね５が巻き付けられている。
【００２４】
以上のように構成される位置制限機能付き折り畳み器は、第１のベース１と第２のベース２とが、ベッドマットレスや折り畳み椅子等の用品の骨組み部分に含められ、該骨組み部分の一部を構成するようにして使用される。前記用品の運送時や収納時等には、ロックピン４を回転操作してロック部材ラチェット３１と連結板ラチェット２３との係合を解除する。これにより、折り畳み器による第１のベース１と第２のベース２との位置制限機能が解除され、第１のベース１と第２のベース２とが互いに折れ曲がることができるようになる。そこで、前記用品をコンパクトな大きさへと形状変更することができる。よって、運送時や収納時に余計なスペースを取らず、便利である。
【００２５】
一方、前記用品を使用する場合には、前記用品の形態を使用時の形態へと変更する。第１のベース１と第２のベース２とが使用時の展開状態になると、ロック部材ラチェット３１と連結板ラチェット２３とが互いに噛み合うとともに、ばね５の弾力によってロック部材ラチェット３１と連結板ラチェット２３との相互係合状態がしっかりと維持される。これにより、第１のベース１と第２のベース２との相互の位置関係が制限（固定）され、前記用品が使用時の形態に固定される。よって、前記用品を安心して使用することができる。
【００２６】
以上は本発明の好ましい実施形態を具体的に説明したものであるが、本発明は上述した実施形態に限定されるものではなく、当業者は本発明の精神に背かないことを前提として、種々の均等な変形又は代替をすることができ、これらの均等な変形又は代替はいずれも特許請求の範囲に限定される範囲内に含まれる。
【符号の説明】
【００２７】
１  第１のベース
２  第２のベース
３  ロック部材
４  ロックピン
５  ばね
６  ピボット
１１  外側連結板
１２  ピボット孔
１３  ピン孔
２１  内側連結板
２２  内側ピボット孔
２３  連結板ラチェット
３１  ロック部材ラチェット
【図１】
0006803664.tif 000002
【図２】
0006803664.tif 000003
【図３】
0006803664.tif 000004